(57)【要約】【課題】投票作業を簡単に行い得る無線ＩＣタグを有する投票カードを提供する。【解決手段】カード本体１１内に、投票データとして「賛成」、「反対」、「棄権」が電子的に記録された３個の投票用無線ＩＣタグ１２が等間隔置きに配置された円板状のデータ選択部材１３を回転自在に配置するとともに、３個の無線ＩＣタグ１２のうち、任意の一つを除いた残りの無線ＩＣタグ１２を電磁遮蔽し得る遮蔽部材１４を配置し、上記電磁遮蔽されない無線ＩＣタグ１２の内容を示す文字板１９をデータ選択部材１３に設けるとともに、カード本体１１の蓋部側に、その文字板１９を外部から確認し得る確認用窓が設けられたものである。【選択図】図４
2008033576.tif 000002
【特許請求の範囲】
【請求項１】
投票データが電子的に記録された複数のデータ記録領域が設けられたカード本体と、これら複数のデータ記録領域のうち、任意の一つを除いた残りのデータ記録領域を電磁遮蔽し得る遮蔽部材とを具備したことを特徴とする投票カード。
【請求項２】
カード本体に、
投票データが電子的に記録された複数の無線識別タグが所定間隔置きに配置されたデータ選択部材を回転自在または所定方向で移動自在に配置するとともに、
上記複数の無線識別タグのうち、任意の一つを除いた残りの無線識別タグを電磁遮蔽し得る遮蔽部材を配置し、
上記電磁遮蔽されない無線識別タグの内容を表示し得る表示手段を具備したことを特徴とする投票カード。
【請求項３】
カード本体に、
投票データが電子的に記録された複数の無線識別タグを所定間隔置きに配置するとともに、
これら複数の無線識別タグのうち、任意の一つを除いた残りの無線識別タグを電磁遮蔽し得る遮蔽部材を回転自在にまたは移動自在に配置し、
上記電磁遮蔽されない無線識別タグの内容を表示し得る表示手段を具備したことを特徴とする投票カード。
【請求項４】
少なくとも無線識別タグを２個配置するとともに、少なくとも、一方の無線識別タグに投票データとして「賛成」を記録し且つ他方の無線識別タグに投票データとして「反対」を記録するようにしたことを特徴とする請求項２または３に記載の投票カード。
【請求項５】
カード本体に、当該カードを識別するための識別データを記録し得るカード用無線識別タグを配置したことを特徴とする請求項２乃至４のいずれか一項に記載の投票カード。
【請求項６】
カード本体に設けられる無線識別タグに、当該カードを識別するための識別データを記録し、または無線識別タグに予め記録されている固有の識別データを当該カードを識別するための識別データとして用いるようにしたことを特徴とする請求項２乃至４のいずれか一項に記載の投票カード。
【請求項７】
請求項１乃至６のいずれか一項に記載の投票カードと、
投票台または投票箱に設けられて投票カードの無線識別タグに記録されたデータのうち、遮蔽部材にて遮蔽されないデータを無線にて読み取る無線読取部と、
この無線読取部にて読み取られたデータをカウントするカウント部と
を具備したことを特徴とする電子投票システム。
【請求項８】
請求項１乃至６のいずれか一項に記載の投票カードと、
この投票カードを挿入し得る投入用スリットが設けられた投票箱と、
この投票箱に設けられて、投票カードの無線識別タグに記録されたデータのうち、遮蔽部材にて遮蔽されないデータを無線にて読み取る無線読取部およびこの無線読取部にて読み取られたデータをカウントするカウント部を有するデータ集計装置と
を具備したことを特徴とする電子投票システム。
【請求項９】
投入用スリットに投入する投票カードまたは投入用スリットから投入された投票カードを所定の姿勢でもって案内させる案内手段を投票箱に設けるとともに、この案内手段に無線読取部を配置したことを特徴とする請求項８に記載の電子投票システム。
【発明の詳細な説明】
【技術分野】
【０００１】
本発明は、無線識別タグを内蔵した投票カードおよびこれを用いた電子投票システムに関するものである。
【背景技術】
【０００２】
最近、投票システムにおいては電子化が進んでおり、例えば無線ＩＣタグ（無線識別タグ）を用いたものがある（例えば、特許文献１参照）。
この投票システムは、投票者がそれぞれ投票所にて、無線ＩＣタグ付き投票用紙を貰い、投票所に配置された投票装置にて、投票データに対応するデータを記録した後、当該投票用紙を投票箱に入れるものである。
【特許文献１】特開２００５−１４１５６９
【発明の開示】
【発明が解決しようとする課題】
【０００３】
上述した電子投票システムによると、投票者は、無線ＩＣタグ付き投票用紙に、投票装置にてその投票データを記録する必要があり、面倒な作業が必要とされていた。
そこで、本発明は、無線ＩＣタグ付き投票用紙に投票データを記録する必要がない、すなわち投票作業を簡単に行い得る投票カードおよびこれを用いた電子投票システムを提供することを目的とする。
【課題を解決するための手段】
【０００４】
上記課題を解決するため、本発明の請求項１に係る投票カードは、投票データが電子的に記録された複数のデータ記録領域が設けられたカード本体と、これら複数のデータ記録領域のうち、任意の一つを除いた残りのデータ記録領域を電磁遮蔽し得る遮蔽部材とを具備したものである。
【０００５】
また、請求項２に係る投票カードは、カード本体に、投票データが電子的に記録された複数の無線識別タグが所定間隔置きに配置されたデータ選択部材を回転自在または所定方向で移動自在に配置するとともに、上記複数の無線識別タグのうち、任意の一つを除いた残りの無線識別タグを電磁遮蔽し得る遮蔽部材を配置し、上記電磁遮蔽されない無線識別タグの内容を表示し得る表示手段を具備したものである。
【０００６】
また、請求項３に係る投票カードは、カード本体に、投票データが電子的に記録された複数の無線識別タグを所定間隔置きに配置するとともに、これら複数の無線識別タグのうち、任意の一つを除いた残りの無線識別タグを電磁遮蔽し得る遮蔽部材を回転自在にまたは移動自在に配置し、上記電磁遮蔽されない無線識別タグの内容を表示し得る表示手段を具備したものである。
【０００７】
また、請求項４に係る投票カードは、請求項２または３に記載の投票カードにおいて、少なくとも無線識別タグを２個配置するとともに、少なくとも、一方の無線識別タグに投票データとして「賛成」を記録し且つ他方の無線識別タグに投票データとして「反対」を記録するようにしたものである。
【０００８】
また、請求項５に係る投票カードは、請求項２乃至４のいずれか一項に記載の投票カードのカード本体に、当該カードを識別するための識別データを記録し得るカード用無線識別タグを配置したものである。
【０００９】
また、請求項６に係る投票カードは、請求項２乃至４のいずれか一項に記載の投票カードのカード本体に設けられる無線識別タグに、当該カードを識別するための識別データを記録し、または無線識別タグに予め記録されている固有の識別データを当該カードを識別するための識別データとして用いるようにしたものである。
【００１０】
また、請求項７に係る電子投票システムは、請求項１乃至６のいずれか一項に記載の投票カードと、投票台または投票箱に設けられて投票カードの無線識別タグに記録されたデータのうち、遮蔽部材にて遮蔽されないデータを無線にて読み取る無線読取部と、この無線読取部にて読み取られたデータをカウントするカウント部とを具備したものである。
【００１１】
また、請求項８に係る電子投票システムは、請求項１乃至６のいずれか一項に記載の投票カードと、この投票カードを挿入し得る投入用スリットが設けられた投票箱と、この投票箱に設けられて、投票カードの無線識別タグに記録されたデータのうち、遮蔽部材にて遮蔽されないデータを無線にて読み取る無線読取部およびこの無線読取部にて読み取られたデータをカウントするカウント部を有するデータ集計装置とを具備したものである。
【００１２】
さらに、請求項９に係る電子投票システムは、請求項８に記載の電子投票システムにおいて、投入用スリットに投入する投票カードまたは投入用スリットから投入された投票カードを所定の姿勢でもって案内させる案内手段を投票箱に設けるとともに、この案内手段に無線読取部を配置したものである。
【発明の効果】
【００１３】
上記投票カードおよびこれを用いた電子投票システムによると、予め、「賛成」、「反対」などの投票データが記録された無線識別タグが配置されたデータ選択部材を回転若しくは移動させるだけで、または遮蔽部材を回転若しくは移動させるだけで、希望する投票データを選択することができるので、例えば無線識別タグ付きの投票用紙に、データ書込み装置を用いて、投票データを記録させるような投票システムとは異なり、投票作業を非常に簡単に行うことができる。
【００１４】
また、投票カードを、投票台に載置するだけでまたは投票箱の投入用スリットに投入するだけで、その投票データが無線読取部にて読み取られるとともに、データ集計装置にて、その投票数および投票データ毎の得票数が自動的に集計され、したがって会議などで事案の賛否を採るのに、非常に簡単にしかも短時間にて行うことができる。
【発明を実施するための最良の形態】
【００１５】
以下、本発明の投票カードおよびこれを用いた電子投票システムの実施の形態について説明する。
［実施の形態１］
以下、本発明の実施の形態１に係る投票カードおよびこれを用いた電子投票システムを、図１〜図５に基づき説明する。
【００１６】
本実施の形態１に係る電子投票システムは、図１に示すように、大きく分けて、無線識別タグ例えば無線ＩＣタグ（ＲＦＩＤタグともいう）付きの投票カード１と、この投票カード１が投入される（回収される）投票箱２と、この投票箱２に投票された投票カード１のデータ内容を自動的に集計するデータ集計装置３と、このデータ集計装置３にて集計された投票結果データ（以下、結果データという）を印刷するデータ印刷装置４とが具備されたものである。
【００１７】
この投票カード１は、図２〜図４に示すように、名刺程度の大きさで且つ所定厚さのカード本体１１と、このカード本体１１の内部に回転自在に配置されるとともに所定半径の円周上に複数個の無線ＩＣタグ１２が等間隔置きに配置された円形薄板状のデータ選択部材（データ選択板ともいえる）１３と、このデータ選択部材１３の一方の表面に対向するカード本体１１側に配置されて上記複数個の無線ＩＣタグ１２のうち、任意の一つを除いた残りの無線ＩＣタグ１２を全て電磁遮蔽し得る遮蔽部材（例えば、アルミ板、アルミ箔などの金属板が用いられる）１４と、この遮蔽部材１４から外れた位置のカード本体１１内に配置されて当該カード本体１１を識別し得る識別データ（固有番号などである）が記録されたカード用無線ＩＣタグ（カード用無線識別タグ）１５とから構成されている。
【００１８】
上記無線ＩＣタグ１２には投票データが予め電子的に、すなわち電子データとして記録されており、投票データの選択肢に応じた個数分だけ設けられている。図２に示すように、選択肢が「賛成」、「反対」、「棄権」である場合には、それぞれのデータが記録された３個の無線ＩＣタグ１２Ａ，１２Ｂ，１２Ｃが１２０度置きに配置されることになる。なお、これら複数個の無線ＩＣタグ１２は、上記カード用無線ＩＣタグと区別する上で、投票用無線ＩＣタグと呼ぶことができる。
【００１９】
上記カード本体１１は、例えば上記データ選択部材１３を支持軸部１６を介して回転自在に支持する選択部材支持用本体部（以下、本体部という）１７と、上記遮蔽部材１４が取り付けられた（または埋め込まれた）蓋部１８とから構成されている。上記支持軸部１６は本体部１７側に設けられるが、例えば支持軸部１６をデータ選択部材１３側に設けるとともにその下部を本体部１７側に設けられた穴部に回転自在に挿入して支持させるようにしてもよい。
【００２０】
また、上記データ選択部材１３は、その一部がカード本体１１の側面から外方に突出するように、支持軸部１６を介して本体部１７に支持されており、この突出した部分を手で触ることにより回転させるようにしたものである。したがって、上記データ選択部材１３の外周面には、滑り止めとして多数の溝（所謂、ギザギザである）が形成されており、場合によっては、外周面を多角形状に形成してもよい。
【００２１】
さらに、上記各無線ＩＣタグ１２が配置されたデータ選択部材１３の表面には、それぞれの投票データの内容を示す文字、例えば「賛成」、「反対」、「棄権」の文字が記載され文字板（例えば、シール、テープ、薄いプラスチック板などが用いられる）１９が貼り付けられるとともに、選択した投票データの内容を示す文字板１９の文字を投票者が確認するための確認用窓（確認用開口部でもある）２０が蓋部１８に形成されている。そして、この確認用窓２０には、投票者だけがその内容を見ることができるように、すなわち横に居る他人からは見えないようするための透明の保護部材２１が設けられるとともに開閉蓋（図示せず）も設けられている。この保護部材２１としては、例えば光をほぼ真っ直ぐに透過させるためのプラスチック製のプリズム、非球面レンズ（例えばフレネルレンズ）、または偏光レンズなどが用いられ、また文字が小さい場合には、これらレンズに拡大機能が具備される。なお、文字板１９、確認用窓２０などにより表示手段が構成される。
【００２２】
上記遮蔽部材１４の形状については、例えば無線ＩＣタグ１２が３個である場合には、その選択位置は当該タグを手で持った際に上方位置になるのが見やすいため、この上方位置の所定範囲だけが除かれるような形状にされている。具体的に説明すると、図４に示すように、円形状の遮蔽部材１４全体を覆い得る高さで且つカード本体１１の幅と等しい幅の矩形状にされるとともに、その中央位置上部に逆台形状の切欠部１４ａを有するような形状にされている。なお、選択位置を上方位置として説明したが、必要に応じて自由に変更し得るもので、例えばデータ選択部材１３の操作部分である右側位置（図４の右側）または左側位置にしてもよく、この場合、当然に、その位置に切欠部が形成される。
【００２３】
そして、上記データ選択部材１３と蓋部１８との間には、データ選択部材１３の選択位置（回転位置）を決めるための位置決め手段（保持手段ともいえる）２２が具備されている。
【００２４】
この位置決め手段２２としては、例えば無線ＩＣタグ１２，１２同士間の中央の３本の半径線上の適当な位置（例えば、回転中心寄りの内側位置、外周寄りの外側位置、これらの中間位置など）のデータ選択部材１３の表面に、ゴム製（金属製）のボール（係合部）２３の少なくとも下半部が埋め込まれて設けられるとともに、蓋部１８の裏面の同一位置には、上記ボール２３の上半部を案内（挿入）し得る凹状部（被係合部）２４が形成されている。
【００２５】
すなわち、データ選択部材１３を回転させた場合、各ボール２３が各凹状部２４に嵌り込むことにより、１２０度置きにデータ選択部材１３が位置決めされて、選択された投票データの内容が保持される。
【００２６】
したがって、投票者は、投票カード１を手で持った状態で、データ選択部材１３を回転させて、自分が投票したい内容の文字が確認用窓２０にて見えるようにするだけで、自分の投票データを当該投票カード１に設定することができる。
【００２７】
次に、投票箱２、データ集計装置３およびデータ印刷装置４について説明する。
この投票箱２は、図１に示すように、上壁面に投票カード１を投入（挿入）するための投入用スリット３１ａが形成された直方体状（所謂、箱状である）の箱本体３１と、この箱本体３１の投入用スリット３１ａに投入する際に、投票カード１を無線読取部（後述する）４１に案内するための案内部材（案内手段）３２とから構成されており、また箱本体３１の内部には、投入用スリット３１ａから投入された投票カード１を回収するための回収空間部３１ｂ、データ集計装置３（正確には、後述する集計演算装置）を収納する第１収納空間部３１ｃおよびデータ印刷装置４を収納する第２収納空間部３１ｄがそれぞれ適所に設けられている。
【００２８】
上記案内部材３２は、投票箱２の上面の投入用スリット３１ａ近傍位置で立設された支柱材３３と、上端がこの支柱材３３に支持されるとともに下端が投入用スリット３１ａ内に挿入されて且つ所定角度でもって傾斜するように設けられた傾斜案内板３４とから構成されており、この傾斜案内板３４の裏面に無線読取部４１が取り付けられることになる。
【００２９】
勿論、上記案内部材３２は、電磁波を遮蔽しないように、合成樹脂などの非導電性材料で構成されており、また傾斜案内板３４の傾斜角度については、表面に投票カード１を接触させて手を離したときに、スムースに投票箱２の回収空間部３１ｂ内に落下するような角度、例えば４５度〜９０度（好ましくは、６０度〜８０度）の範囲内にされている。また、無線読取部４１での読取動作が確実に行い得るように、カードを接触させた際に、少なくとも僅かな時間だけでも傾斜案内板３４上に留まるような角度が望ましい。
【００３０】
上記データ集計装置３は、上記傾斜案内板３４の下面に設けられて上記無線ＩＣタグ１２に記録された投票データを無線にて読み取るための無線読取部４１と、この無線読取部４１にて読み取られた投票データを入力して当該投票データの内容を集計する集計演算装置４２とから構成されている。
【００３１】
上記無線読取部４１は、無線ＩＣタグ１２に電波を送り、当該無線ＩＣタグ１２に記録されている内容を無線で発信させるとともに当該無線を検出してその内容を読み取るものである。
【００３２】
また、上記集計演算装置４２としてはコンピュータ装置（例えば、ＣＰＵ、制御部、記憶部としてのメモリなどからなるワンボードコンピュータである）が用いられるとともに、当該集計演算装置４２には、図５に示すように、無線読取部４１にて読み取られた入力データを記憶する入力データ記憶部４３が具備されるとともに、この入力データ記憶部４３からデータを入力するとともにその内容を分析してそれぞれの得票数および投票総数をカウントするカウント部４４と、このカウント部でカウントされた得票数および投票総数などの結果データを記憶する結果データ記憶部４５と、この結果データ記憶部４５から結果データを出力するデータ出力部４６とから構成されている。
【００３３】
さらに、上記データ印刷装置４は、箱本体３１の第２収納空間部３１ｄ内に配置されて上記データ集計装置３の集計演算装置４２から結果データを入力して、所定の様式にて、投票結果をプリントアウトするものである。なお、箱本体３１の側壁部には、プリント用紙を排出するための用紙排出口３１ｅが設けられている。
【００３４】
次に、上記投票カード１を用いた電子投票システムにおける投票方法について説明する。
ここでは、ある会議で、所定の事案に対して、無記名で多数決による賛否を採る場合について説明する。
【００３５】
まず、賛否を採る前に、当然ながら、各投票者に対して投票カード１を手渡しておく。この投票カード１に設けられた３個の無線ＩＣタグ１２には、上述したように、「賛成」、「反対」、「棄権」のデータが記録されているものとする。なお、無記名投票であるため、カード用無線ＩＣタグ１５に記録されたデータについては利用されない。
【００３６】
投票に際し、投票者は、自分でデータ選択部材１３を回転させて、その蓋部１８に設けられた確認用窓２０内に、自分の投票すべき内容を示す文字が見えるようにする。すなわち、投票すべき内容の投票データが遮蔽部材１４の切欠部１４ａに来るようにセットする。この後、確認用窓２０に設けられた開閉蓋を閉じて、他人に知られないようにする。これにより、プライバシーが保護される。
【００３７】
そして、この投票カード１を投票箱２に設けられた傾斜案内板３４に軽く接触（近づけるだけで、接触させなくてもよい）させてから手を離せばよい。勿論、手から離れた投票カード１は投入用スリット３１ａから、回収空間部３１ｂ内に落下して回収される。
【００３８】
一方、投票カード１が傾斜案内板３４に接触されると、すなわち無線読取部４１に接近すると、当該無線読取部４１からの電波によりその投票データの内容が読み取られ、入力データ記憶部４３に記憶される。
【００３９】
そして、この入力データ記憶部４３に記憶された投票データがカウント部４４に入力されて投票数がカウントされるとともに、その投票データの内容に応じて、すなわち「賛成」、「反対」、「棄権」の各得票数がカウントされ、これら投票数および得票数は結果データ記憶部４５に記憶される。
【００４０】
そして、投票が終了すると、この結果データ記憶部４５に記憶された結果データはデータ出力部４６からデータ印刷装置４に送られて、所定の様式にてプリントアウトされる。
ところで、上述の説明では、無記名投票の場合について説明したが、記名投票を行う場合には、カード用無線ＩＣタグ１５からも、識別データの読み取りが行われて、各投票カード１ごとすなわち投票者ごとの「賛成」、「反対」、「棄権」の投票数が集計される。勿論、投票する前に、投票カード１すなわち投票者と識別データとの対応付けが行われる。
【００４１】
なお、この投票カード１については、何度でも繰り返して使用することができ、同じ会議においても、続けて、賛否を採ることができる。
上記投票カード１の構成によると、予め、投票用無線ＩＣタグ１２に投票データが記録されたデータ選択部材１３を回転させるだけで、希望する投票データを選択することができるので、例えば無線ＩＣタグを用いた投票カードに、データ書込み装置を用いて、投票データを書き込むような投票システムとは異なり、投票作業を非常に簡単に行うことができる。
【００４２】
また、投票カード１を、投票箱２の傾斜案内板３４に接触させるだけで、その裏面に配置された無線読取部４１にて投票データが読み取られるとともに、集計演算装置４２にて、その投票総数および投票データの集計（得票数の集計）が自動的に行われ、したがって会議などで事案の賛否を採るのに、非常に簡単にしかも短時間にて行うことができる。
【００４３】
また、集計演算装置４２については、パーソナルコンピュータまたはワンボードコンピュータを用いることができるので、非常に安価な電子投票システムを構築することができる。例えば、投票専用システムが数百万円またはそれ以上の費用を要するのに対して、パーソナルコンピュータなどを用いた場合には、数十万円で済むことになる。
【００４４】
しかも、投票カード１については何度でも使用することができるとともに、無線ＩＣタグは耐用性にも優れているため、初期費用だけで済み、選挙のために必要となるランニングコストは、殆ど発生しない。
【００４５】
さらに、投票カード１については、自分で、データ選択部材１３を回転させて投票データを選択するものであるため、画面上で投票データを選択したり、投票データを電子的に入力するものに比べて、今まで通常に行われていた手書きによる投票形式と親和性があり、言い換えれば、アナログ的で違和感なく投票を行うことができる。しかも、投票カード自体で、投票データを選択して当該投票カードを投票箱に投入するため、書込み装置を用いて電子的に投票データを書き込むシステムでは、投票者がその投票データを書き込んだ（選択した）時点で投票内容が第三者に知られるような危惧を払拭し得ないが、上述したような投票カードを用いて投票を行う場合には、そのような危惧を抱くことなく、安心して投票を行うことができる。すなわち、プライバシーの保護という点で優れている。
【００４６】
特に、このような電子投票システムは、小規模または中規模程度の投票システムに特に有効であり、例えば会社内における会議での投票、市町村における会議での投票、学校内における会議での投票に最適なものである。
【００４７】
さらに、投票後の集計において疑義があった場合でも、投票箱に回収された投票済の投票カードを取り出し目視にて投票データをカウントできるため、投票の信頼性を確保することができる。
［実施の形態２］
以下、本発明の実施の形態２に係る投票カードおよびこれを用いた電子投票システムを、図６および図７に基づき説明する。
【００４８】
なお、本実施の形態２と上述した実施の形態１と異なる箇所は投票カードの投入部分にあり、すなわち上記実施の形態１では、投票箱に投入する直前に投票データを読み取るようにしたが、本実施の形態２においては、投票箱に投入した直後に投票データを読み取るようにしたものであり、このため、本実施の形態２においては、この部分に着目して説明するとともに、上記実施の形態１と同一の構成部材については、同一の部材番号を付して、その説明を省略する。
【００４９】
すなわち、本実施の形態２に係る投票箱２の箱本体３１内には、投入用スリット３１ａから投入された投票カード１を回収するための回収空間部３１ｂ、データ集計装置３（正確には、集計演算装置４２）を収納する第１収納空間部３１ｃおよびデータ印刷装置４を収納する第２収納空間部３１ｄが設けられるとともに、上記投入用スリット３１ａの内壁面側には、投票カード１を案内する案内部材（案内手段）５１が設けられている。
【００５０】
この案内部材５１は、投票カード１の落下用空間５２を有して当該投票カード１をほぼ真っ直ぐに（勿論、傾斜していてもよい）所定高さだけ案内する案内通路部５３と、この案内通路部５３の下部に設けられて投入された投票カード１を一時的（一瞬でよく、無線ＩＣタグを読み取ることができる時間であればよい）に保持した後、落下させるための仮保持部５４とから構成されている。
【００５１】
この仮保持部５４は、案内通路部５３の背板部５３ａが下方に延設されてなる延設背板部５４ａと、この延設背板部５４ａの下端に投票カード１の厚さの半分より幅が狭くされた水平突出部５４ｂとから構成されている。勿論、延設背板部５４ａの周囲三方については開放されており、また仮保持部５４での開放高さはカード本体１１の高さよりも高くされ、さらに水平突出部５４ｂで保持されたカード本体１１の重心位置が当該水平突出部５４ｂよりも外側に来るように（位置するように）されている。そして、上記延設背板部５４ａの外面に無線読取部４１が配置されている。
【００５２】
したがって、案内通路部５３を案内されてきた投票カード１は、仮保持部５４の水平突出部５４ｂに当たり、ほんの一瞬だけ停止した状態となり、このとき、延設背板部５４ａの外面に配置された無線読取部４１により、投票データが読み取られ、その後、自重により、延設背板部５４ａとは反対側に落下することになる。
【００５３】
この構成によると、上述した実施の形態１と同様の効果を有するとともに、投票者は、投票カード１を投票箱２の投入用スリット３１ａから投入するだけでよいため、従来の投票方法と同一となり、全く違和感なく投票を行うことができる。
［実施の形態３］
以下、本発明の実施の形態３に係る投票カードおよびこれを用いた電子投票システムを、図８に基づき説明する。
【００５４】
なお、本実施の形態３と上述した実施の形態１と異なる箇所は投票カードの投入部分にあり、すなわち上記実施の形態１では、投票箱に投入する直前に投票データを読み取るようようにしたが、本実施の形態３においては、実施の形態２と同様に、投票箱に投入した直後に投票データを読み取るようにしたものであり、このため、本実施の形態３においては、この部分に着目して説明するとともに、上記実施の形態１と同一の構成部材については、同一の部材番号を付して、その説明を省略する。
【００５５】
すなわち、本実施の形態３に係る投票箱２の箱本体３１内には、投入用スリット３１ａから投入された投票カード１を回収するための回収空間部３１ｂ、データ集計装置３（正確には、集計演算装置４２）を収納する第１収納空間部３１ｃおよびデータ印刷装置４を収納する第２収納空間部３１ｄが設けられるとともに、上記回収空間部３１ｂ内で且つ投入用スリット３１ａの下方位置には、投票カード１を所定方向に、すなわち無線読取部４１に案内する案内手段としてのコンベヤ装置（案内手段）６１が配置されている。
【００５６】
このコンベヤ装置６１は、電動機などにより回転される駆動ローラ６２と、所定距離水平方向で離れた位置に配置された従動ローラ６３と、これら両ローラ６２，６３同士に無端状に巻回されたゴム製のベルト６４とから構成されている。そして、無線読取部４１がこれら両ローラ６２，６３間で且つベルト６４の下方に配置されたものである。この場合、上記コンベヤ装置６１は、その上流側（始端側）である従動ローラ６３が投入用スリット３１ａ側に対応するように配置されている。
【００５７】
したがって、ベルト６４が矢印方向ａに駆動されている状態で、投票者が投票カード１を投入用スリット３１ａから投入すると、ベルト６４上に落下されるとともに矢印方向ａに移動される。そして、ベルト６４により移動される間に、当該ベルト６４の下方に配置された無線読取部４１により、投票カード１の投票データが読み取られる。読み取られた後、投票カード１はベルト６４から回収空間部３１ｂの底壁上に落下されて回収される。なお、上記コンベヤ装置６１は、投票中は駆動されている。
【００５８】
この構成によると、上述した実施の形態１と同様の効果を有するとともに、実施の形態２の場合と同様に、投票者は、投票カード１を投票箱２の投入用スリット３１ａから投入するだけでよいため、従来の投票方法と同一となるため、全く違和感なく投票を行うことができる。
［実施の形態４］
以下、本発明の実施の形態４に係る投票カードおよびこれを用いた電子投票システムを、図９に基づき説明する。
【００５９】
なお、本実施の形態４と上述した実施の形態１と異なる箇所は投票カードの投入部分にあり、すなわち上記実施の形態１では、投票箱に投入する直前に投票データを読み取るようにしたが、本実施の形態４においては、実施の形態２および実施の形態３と同様に、投票箱に投入した直後に投票データを読み取るようにしたものであり、このため、本実施の形態４においては、この部分に着目して説明するとともに、上記実施の形態１と同一の構成部材については、同一の部材番号を付して、その説明を省略する。
【００６０】
すなわち、本実施の形態４に係る投票箱２の箱本体３１内には、投入用スリット３１ａから投入された投票カード１を回収するための回収空間部３１ｂ、データ集計装置３（正確には、集計演算装置４２）を収納する第１収納空間部３１ｃおよびデータ印刷装置４を収納する第２収納空間部３１ｄが設けられるとともに、上記回収空間部３１ｂ内で且つ投入用スリット３１ａの直ぐ下方位置には、言い換えれば、箱本体３１の上壁部の下面位置で且つ投入用スリット３１ａの両側位置（片側だけでもよい）に、投票カード１を当該回収空間部３１ｂ内に案内するとともに、当該投票カード１の投票データを読み取る無線読取部４１が配置されたものである。
【００６１】
この場合も、上述した実施の形態２および実施の形態３と同様の効果を有している。
［実施の形態５］
以下、本発明の実施の形態５に係る投票カードおよびこれを用いた電子投票システムを、図１０に基づき説明する。
【００６２】
上記各実施の形態においては、投票カード１を投票箱２内に投入するものとして説明したが、本実施の形態５においては、投票箱に投入するのではなく、投票台の上面に設けられた無線読取部に接触させて投票データを読み取るようにしたものであり、本実施の形態５においても、この部分に着目して説明するとともに、上記実施の形態１と同一の構成部材については、同一の部材番号を付して、その説明を省略する。
【００６３】
すなわち、本実施の形態５に係る投票カードを用いた電子投票システムは、投票カード１の回収空間部を有しない投票台７１の上面に、無線読取部４１が配置されたものである。なお、この投票台７１は箱状にされるとともに、その内部には、実施の形態１と同様に、データ集計装置３（正確には、集計演算装置４２）を収納する第１収納空間部７１ａと、データ印刷装置４を収納する第２収納空間部７１ｂとが適所に配置されている。勿論、投票台７１には、データ印刷装置４にてプリントアウトされたプリント用紙の用紙排出口７１ｃが形成されている。
【００６４】
この場合、投票者は、投票カード１を投票台７１の上面に配置された無線読取部４１に軽く接触させるだけでよい。
なお、投票後において、次の投票に備える場合には、投票カード１をそのまま持っていればよく、次の投票がない場合には、別に設けられた回収箱に投入すればよい。
【００６５】
勿論、この場合も、実施の形態１と略同様の効果を有している。
次に、投票カードを用いた電子投票システムのさらなる変形例を、図１１および図１２に基づき説明しておく。
【００６６】
上記各実施の形態においては、投票箱または投票台に、データ集計装置とデータ印刷装置とを配置したが、この変形例に係る電子投票システムにおいては、データ印刷装置を設けずに、その結果データを表示させるようにしたものである。
【００６７】
すなわち、この電子投票システムは、図１１に示すように、投票カード１と、この投票カード１が投入される投票箱２と、この投票箱２に投票された投票カード１を自動的に集計するデータ集計装置３とから構成されている。この投票箱２は、上壁面に投票カード１の投入用スリット８１ａが形成されるとともに、その下方に回収空間部８１ｂが且つこの側方に収納空間部８１ｃが設けられた箱状体（箱本体でもある）８１により構成されており、また投票カード１のデータ内容を無線にて読み取る無線読取部（図示せず）が上記投入用スリット８１ａの上方（案内部材）または下方（箱本体の内部）に配置されている。
【００６８】
そして、さらに、図１２に示すように、このデータ集計装置３の集計演算装置４２としてはコンピュータ装置（例えば、ＣＰＵ、制御部、記憶部としてのメモリなどからなるワンボードコンピュータである）が用いられるとともに、当該集計演算装置４２には、無線読取部にて読み取られた入力データを記憶する入力データ記憶部４３と、この入力データ記憶部４３からデータを入力するとともにその内容を分析してそれぞれの得票数および投票総数をカウントするカウント部４４と、このカウント部４４でカウントされた得票数および投票総数などの結果データを記憶する結果データ記憶部４５と、図示しないが外部からの指示により、上記結果データ記憶部４５から得票内容である得票数を表示するディスプレイなどの得票数表示部４７および投票総数を表示する投票数表示部４８とが具備されている。なお、投票中においては、得票数および投票数は表示されない。また、集計演算装置４２の得票数表示部４７および投票数表示部４８については、投票箱２とは異なる場所に配置してもよい。
【００６９】
したがって、この電子投票システムによると、データ集計装置３の集計演算装置４２をワンボードコンピュータで構成した場合には、投票箱２を持って投票者を巡ることにより投票を行うこともできる。
【００７０】
ところで、上記各実施の形態（変形例も含む、以下同様）においては、投票データを３つ設定したが、投票内容に応じて、２つまたは４つ以上に設定することもできる。
また、上記各実施の形態においては、識別データをカード用無線ＩＣタグ１５に記録させるように説明したが、カード本体１１に設けられる投票用無線ＩＣタグ１２の余った記録領域に、当該カードを識別するための識別データを記録するようにしてもよく、または投票用無線ＩＣタグ１２に予め記録されている製造番号などの固有の識別データを当該カードを識別するための識別データとして用いるようにしてもよく、さらに識別データを無線ＩＣタグ１５，１２に記録させる替わりに、例えば投票カード１の表面の適正位置（例えば、投票データを記載した文字板以外の見え易い位置）に印刷するようにしてもよい。これらの場合には、カード用無線ＩＣタグ１５を設ける必要はない。
【００７１】
また、上記各実施の形態においては、位置決め手段として、ボールと凹状部とで構成したが、ボールと半径方向（放射状）に形成されたスリット（１本でもよく、また無線ＩＣタグの個数に応じて複数本でもよい）とで構成してもよく、また図１３および図１４に示すように、本体部１７の表面に形成された凹部１７ａ内に山形状に折曲されたバネ部材９１を配置するとともに、データ選択部材１３の裏面に上記バネ部材９１を案内し得る溝部９２を放射状に複数本（無線ＩＣタグが３個設けられている場合には３本）形成したものでもよい。
【００７２】
さらに、上記各実施の形態においては、遮蔽部材１４に対してデータ選択部材１３を回転させるように説明したが、逆に、データ選択部材を固定しておき遮蔽部材を回転させるようにしてもよい。
【００７３】
この場合、図１５に示すように、投票データが電子的に記録された複数のデータ記録領域すなわち複数の投票用無線ＩＣタグ１０２が設けられたカード本体１０１と、このカード本体１０１に回転自在に設けられてこれら複数の投票用無線ＩＣタグ１０２のうち、任意の一つを除いた残りの投票用無線ＩＣタグを電磁遮蔽し得るアルミ箔などの円形状の遮蔽部材（遮蔽板ともいえる）１０３とが具備されている。例えば、各投票用無線ＩＣタグ１０２は同一円周上に等角度おきに配置されるとともに、遮蔽部材１０３の円周上の任意の位置に、１つの投票用無線ＩＣタグ１０２の電磁遮蔽を解放し得る（電磁遮蔽を無効にし得る）開口部１０３ａが形成されている。また、投票用無線ＩＣタグ１０２の表面、若しくはその対応する表面部材には、投票内容を示す文字板１０４がそれぞれ貼り付けられている。なお、図面においては、分かり易くするために、蓋部については省略するとともに、文字板１０４より投票用無線ＩＣタグ１０２の方を大きく図示したが、実際には、投票用無線ＩＣタグ１０２の方が小さいものである。
【００７４】
したがって、投票する場合には、遮蔽部材１０３を回転させて、開口部１０３ａがその投票内容に応じた文字板１０４上に来るようにすればよい。
また、上述した各実施の形態においては、データ選択部材または遮蔽部材を回転させるように説明したが、例えば所定方向にスライド（移動）させるようにしてもよい。
【００７５】
データ選択部材をスライドさせる場合、図１６に示すように、カード本体１１１に、例えば縦に一列でもって複数個（例えば、３個）投票用無線ＩＣタグ１１２が配置されたスライド体（スライダともいう）１１３を縦方向にスライド自在に設けるとともに、カード本体１１１の蓋部１１４（蓋部の大きさはカード本体と同一であるが、分かりやすくするために、図面上、カード本体よりも少し小さい形状で示している）に、上記スライド体１１３に配置された投票用無線ＩＣタグ１１２を電磁遮蔽し得るアルミ箔などの縦長で且つ中間位置に１つの投票用無線ＩＣタグ１１２の電磁遮蔽を解放し得る（電磁遮蔽を無効にし得る）開口部１１５ａが形成された遮蔽部材１１５が貼り付けられている（開口部を挟むようにして、２つの遮蔽部材を貼り付けたものでもよい）。勿論、遮蔽部材１１５の開口部１１５ａに対応する蓋部１１４には、窓部１１４ａが形成されており、スライド体１１３の表面に貼り付けられた投票内容の文字板１１６を見ることができるようにされている。なお、スライド体１１３の側部には、指でスライドさせ得るように操作用突片１１３ａが設けられている。
【００７６】
また、上記とは逆に遮蔽部材をスライドさせるようにしてもよい。
この場合、図１７に示すように、カード本体１２１に、例えば縦に一列でもって投票用無線ＩＣタグ１２２を所定間隔おきに複数個（例えば、３個）配置するとともに、当該カード本体１２に、投票用無線ＩＣタグ１２２を電磁遮蔽し得るアルミ箔などが貼り付けられた縦長で且つ途中に１つの投票用無線ＩＣタグ１２２の電磁遮蔽を解放し得る（電磁遮蔽を無効にし得る）開口部１２３ａが形成された遮蔽部材としてのスライド体１２３をスライド自在に配置し、さらにこのスライド体１２３の所定位置に対応する蓋部１２４には窓部１２４ａが形成されており、上記スライド体１２３の表面に貼り付けられた投票内容の文字板１２５を見ることができるようにされている。なお、スライド体１２３の側部には、指でスライドさせ得るように操作用突片１２３ｂが設けられている。
【００７７】
図１７に示されたカード本体１２１に対する蓋部１２４の大きさ、および投票用無線ＩＣタグ１２２に対する文字板１２５の大きさについては、図１６にて説明したものと同様にされている。
【００７８】
なお、図１６および図１７で示した投票用無線ＩＣタグが設けられたスライド体１１３または遮蔽部材としてのスライド体１２３を縦方向に移動させるように説明したが、横方向に移動させるようにしてもよい。すなわち、文字板１１６，１２５の配置を９０度回転させるようにしてもよい。
【００７９】
また、上記変形例についても、回転する側または移動する側の位置を固定するために、上述した実施の形態で説明したと同様の位置決め手段が具備されている。
【図面の簡単な説明】
【００８０】
【図１】本発明の実施の形態１に係る投票カードを用いた電子投票システムの概略構成を示す断面図である。
【図２】本発明の実施の形態１に係る投票カードの平面図である。
【図３】図２のＡ−Ａ断面図である。
【図４】図３のＢ−Ｂ断面図である。
【図５】同データ集計装置の集計演算装置の概略構成を示すブロック図である。
【図６】本発明の実施の形態２に係る投票カードを用いた電子投票システムの概略構成を示す断面図である。
【図７】同実施の形態２に係る投票箱の要部断面図である。
【図８】本発明の実施の形態３に係る投票カードを用いた電子投票システムの概略構成を示す断面図である。
【図９】本発明の実施の形態４に係る投票カードを用いた電子投票システムの概略構成を示す断面図である。
【図１０】本発明の実施の形態５に係る投票カードを用いた電子投票システムの概略構成を示す断面図である。
【図１１】本発明の各実施の形態に係る電子投票システムの変形例の概略構成を示す斜視図である。
【図１２】同変形例に係る電子投票システムにおける集計演算装置の概略構成を示すブロック図である。
【図１３】本発明の投票カードの変形例を示す要部平面図である。
【図１４】図１３のＣ−Ｃ断面図である。
【図１５】本発明の投票カードの変形例を示す平面図である。
【図１６】本発明の投票カードの変形例を示す平面図である。
【図１７】本発明の投票カードの変形例を示す平面図である。
【符号の説明】
【００８１】
１      投票カード
２      投票箱
３      データ集計装置
１１      カード本体
１２      投票用無線ＩＣタグ
１３      データ選択部材
１４      遮蔽部材
１４ａ    切欠部
１５      カード用無線ＩＣタグ
１８      蓋部
１９      文字板
２０      確認用窓
２２      位置決め手段
２３      ボール
２４      凹状部
３１      箱本体
３１ａ    投入用スリット
３１ｂ    回収空間部
３２      案内部材
３４      傾斜案内板
４１      無線読取部
４２      集計演算装置
４３      入力データ記憶部
４４      カウント部
４５      結果データ記憶部
４６      データ出力部
４７      得票数表示部
４８      投票数表示部
５１      案内部材
５２      落下用空間
５３      案内通路部
５４      仮保持部
６１      コンベヤ装置
６２      駆動ローラ
６３      従動ローラ
６４      ベルト
７１      投票台
７１ａ    第１収納空間部
７１ｂ    第２収納空間部
８１      箱状体
８１ａ    投入用スリット
１０１    カード本体
１０２    投票用無線ＩＣタグ
１０３    遮蔽部材
１１１    カード本体
１１２    投票用無線ＩＣタグ
１１３    スライド体
１１５    遮蔽部材
１１５ａ  開口部
１２１    カード本体
１２２    投票用無線ＩＣタグ
１２３    スライド体
１２３ａ  開口部
【図１】
2008033576.tif 000003
【図２】
2008033576.tif 000004
【図３】
2008033576.tif 000005
【図４】
2008033576.tif 000006
【図５】
2008033576.tif 000007
【図６】
2008033576.tif 000008
【図７】
2008033576.tif 000009
【図８】
2008033576.tif 000010
【図９】
2008033576.tif 000011
【図１０】
2008033576.tif 000012
【図１１】
2008033576.tif 000013
【図１２】
2008033576.tif 000014
【図１３】
2008033576.tif 000015
【図１４】
2008033576.tif 000016
【図１５】
2008033576.tif 000017
【図１６】
2008033576.tif 000018
【図１７】
2008033576.tif 000019